(57)【要約】【課題】  端末局において、基地局に自端末局宛てのデータがバッファリングされているか否かを推定し、バッファリングされていないと推定された場合には、下りリンクデータの受信動作を一時停止し、不必要な無線フレームシーケンスで帯域を使用してしまうことを防ぐ、無線ＬＡＮにおける省電力化方法を提供する。【解決手段】  端末局は、基地局からビーコンマネージメントフレームＢｅａｃｏｎ（ＴＩＭ）を受信すると（１〜４）、自端末局宛の下りリンクデータがバッファリングされているか否かを示すＴＩＭ情報（「１」はされていることを示し、「０」はされていないことを示す）をメモリに記録する。ＰＳ−Ｐｏｌｌ送信タイミング（１１〜２１）において、端末局はメモリを参照し、ＴＩＭの最も新しい２つの値が「００」であれば、ＰＳ−Ｐｏｌｌ送信を停止する。図１では、ＰＳ−Ｐｏｌｌ送信タイミング１７〜２０で、ＰＳ−Ｐｏｌｌ送信が停止されている。【選択図】  図１
2006014167.tif 000002
【特許請求の範囲】
【請求項１】
無線ＬＡＮにおける省電力化方法において、
端末局が、該端末局の帰属する基地局からビーコン信号を受信すると、該ビーコン信号から、前記基地局が前記端末局宛データを保有しているか否かを示すＴＩＭ情報を抽出し、これをメモリに保存する第１のステップと、
前記端末局が、前記ビーコン信号の受信タイミングとは非同期である、前記基地局に前記端末局宛データの送信を促すＰＳ−Ｐｏｌｌ信号の送信タイミングにて、前記メモリに保存された前記ＴＩＭ情報の履歴を参照し、これをもとに、前記ＰＳ−Ｐｏｌｌ信号の送信停止を判断する第２のステップを有することを特徴とする方法。
【請求項２】
前記第２のステップで、前記端末局は、所定数の最新の前記ＴＩＭ情報が前記端末局宛データを保有していないことを示しているとき、前記ＰＳ−Ｐｏｌｌ信号の送信を停止する、請求項１に記載の方法。
【請求項３】
前記第２のステップで、前記端末局は、所定数の最新の前記ＴＩＭ情報が前記端末局宛データを保有していないことを示していないとき、前記ＰＳ−Ｐｏｌｌ信号の送信を再開する、請求項２に記載の方法。
【請求項４】
前記ＰＳ−Ｐｏｌｌ信号の送信を停止後、数回後の前記送信タイミングにて、前記ＰＳ−Ｐｏｌｌ信号の送信を再開する、請求項２に記載の方法。
【請求項５】
無線ＬＡＮにおける省電力化方法において、
端末局が、該端末局の帰属する基地局からビーコン信号を受信すると、該ビーコン信号から、前記基地局が前記端末局宛データを保有しているか否かを示すＴＩＭ情報を抽出し、これをメモリに保存する第３のステップと、
前記端末局が、前記ビーコン信号の受信タイミングとは非同期の送信タイミングで前記基地局に送信した、前記端末局宛データの送信を促すＰＳ−Ｐｏｌｌ信号の応答として、前記端末局宛データを受信したか否かを示すデータ受信情報を前記メモリに保存する第４のステップと、
前記端末局が、前記送信タイミングにて、前記メモリに保存された前記ＴＩＭ情報または前記データ受信情報の履歴を参照し、これをもとに、前記ＰＳ−Ｐｏｌｌ信号の送信停止を判断する第５のステップを有することを特徴とする方法。
【請求項６】
前記第５のステップで、前記端末局は、所定数の最新の前記データ受信情報が前記端末局宛データを受信していないことを示しており、かつ、最新の前記ＴＩＭ情報が前記端末局宛データを保有してしないことを示しているとき、前記ＰＳ−Ｐｏｌｌ信号の送信を停止する、請求項５に記載の方法。
【請求項７】
前記第５のステップで、前記端末局は、所定数の最新の前記データ受信情報が前記端末局宛データを受信していないことを示しておらず、または、最新の前記ＴＩＭ情報が前記端末局宛データを保有していることを示しているとき、前記ＰＳ−Ｐｏｌｌ信号の送信を再開する、請求項６に記載の方法。
【請求項８】
前記ＰＳ−Ｐｏｌｌ信号の送信を停止後、数回後の前記送信タイミングにて、前記ＰＳ−Ｐｏｌｌ信号の送信を再開する、請求項６に記載の方法。
【請求項９】
前記第５のステップで、前記端末局は、現在からさかのぼって所定の時間内の前記データ受信情報がすべて前記端末局宛データを受信していないことを示しており、かつ、最新の前記ＴＩＭ情報が前記端末局宛データを保有してしないことを示しているとき、前記ＰＳ−Ｐｏｌｌ信号の送信を停止する、請求項５に記載の方法。
【請求項１０】
前記第５のステップで、前記端末局は、現在からさかのぼって所定の時間内の前記データ受信情報がすべて前記端末局宛データを受信していないことを示しておらず、または、最新の前記ＴＩＭ情報が前記端末局宛データを保有していることを示しているとき、前記ＰＳ−Ｐｏｌｌ信号の送信を再開する、請求項９に記載の方法。
【請求項１１】
前記ＰＳ−Ｐｏｌｌ信号の送信を停止後、数回後の前記送信タイミングにて、前記ＰＳ−Ｐｏｌｌ信号の送信を再開する、請求項９に記載の方法。
【請求項１２】
請求項１から４のいずれか１項に記載の各ステップを、前記端末局となるべきコンピュータに実行させるプログラム。
【請求項１３】
請求項５から１１のいずれか１項に記載の各ステップを、前記端末局となるべきコンピュータに実行させるプログラム。
【請求項１４】
請求項１から４のいずれか１項に記載の各ステップを、前記端末局となるべきコンピュータに実行させるプログラムを記録した、コンピュータ読み取りが可能な記録媒体。
【請求項１５】
請求項５から１１のいずれか１項に記載の各ステップを、前記端末局となるべきコンピュータに実行させるプログラムを記録した、コンピュータ読み取りが可能な記録媒体。
【請求項１６】
無線ＬＡＮシステムにおける、帰属する基地局からのビーコン信号の受信タイミングとは非同期で動作する省電力化機能を有する端末局において、
メモリと、
前記基地局から前記ビーコン信号を受信すると、該ビーコン信号から、前記基地局が前記端末局宛データを保有しているか否かを示すＴＩＭ情報を抽出し、これを前記メモリに保存する手段と、
前記ビーコン信号の受信タイミングとは非同期である、前記基地局に前記端末局宛データの送信を促すＰＳ−Ｐｏｌｌ信号の送信タイミングにて、前記メモリに保存された前記ＴＩＭ情報の履歴を参照し、これをもとに、前記ＰＳ−Ｐｏｌｌ信号の送信停止を判断する手段を有することを特徴とする端末局。
【請求項１７】
無線ＬＡＮシステムにおける、帰属する基地局からのビーコン信号の受信タイミングとは非同期で動作する省電力化機能を有する端末局において、
メモリと、
前記ビーコン信号の受信タイミングとは非同期の送信タイミングで前記基地局に送信した、前記端末局宛データの送信を促すＰＳ−Ｐｏｌｌ信号の応答として、前記端末局宛データを受信したか否かを示すデータ受信情報を前記メモリに保存する手段と、
前記送信タイミングにて、前記メモリに保存された前記データ受信情報の履歴を参照し、これをもとに、前記ＰＳ−Ｐｏｌｌ信号の送信停止を判断する手段を有することを特徴とする端末局。
【請求項１８】
無線ＬＡＮシステムにおける、帰属する基地局からのビーコン信号の受信タイミングとは非同期で動作する省電力化機能を有する端末局において、
メモリと、
前記基地局から前記ビーコン信号を受信すると、該ビーコン信号から、前記基地局が前記端末局宛データを保有しているか否かを示すＴＩＭ情報を抽出し、これを前記メモリに保存する手段と、
前記ビーコン信号の受信タイミングとは非同期の送信タイミングで前記基地局に送信した、前記端末局宛データの送信を促すＰＳ−Ｐｏｌｌ信号の応答として、前記端末局宛データを受信したか否かを示すデータ受信情報を前記メモリに保存する手段と、
前記送信タイミングにて、前記メモリに保存された前記ＴＩＭ情報または前記データ受信情報の履歴を参照し、これをもとに、前記ＰＳ−Ｐｏｌｌ信号の送信停止を判断する手段を有することを特徴とする端末局。
【請求項１９】
基地局と、
該基地局に帰属し、該基地局からのビーコン信号の受信タイミングとは非同期で動作する省電力化機能を有する、請求項１６から１８のいずれか１項に記載の端末局を有する無線ＬＡＮシステム。
【発明の詳細な説明】
【技術分野】
【０００１】
本発明は、無線ＬＡＮにおける省電力化に関する。
【背景技術】
【０００２】
ビーコンマネージメントフレームと非同期で動作する省電力機能を有する無線ＬＡＮシステムでは、端末局が、ビーコン周期に固定されることなく、任意のタイミングで下りリンクデータの受信を行えるため、省電力動作中においても、データの遅延時間を大きく増加させることなく、省電力動作が可能である。
【特許文献１】特開平９−１６２７９８号公報
【発明の開示】
【発明が解決しようとする課題】
【０００３】
しかしながら、上記従来技術では、端末局は、ビーコンマネージメントフレームと非同期で動作するため、基地局に自端末局宛てのデータがバッファリングされているかどうかに関わらず、任意のタイミングで下りリンクデータの受信を行おうとする。したがって、基地局に自端末局宛てデータが無い場合には、不必要なＰＳ−Ｐｏｌｌコントロールフレーム、および、連続する無線フレームシーケンスで帯域を使用してしまう。
【０００４】
本発明の目的は、端末局において、基地局に自端末局宛てのデータがバッファリングされているかどうかを推定し、バッファリングされていないと推定された場合には、下りリンクデータの受信動作を一時停止し、不必要な無線フレームシーケンスで帯域を使用してしまうことを防ぐ、無線ＬＡＮにおける省電力化方法を提供することにある。
【課題を解決するための手段】
【０００５】
上記目的を達成するために、本発明の無線ＬＡＮにおける省電力化方法は、端末局が、端末局の帰属する基地局からビーコン信号を受信すると、このビーコン信号から、基地局がこの端末局宛データを保有しているか否かを示すＴＩＭ情報を抽出し、これをメモリに保存する。そして、端末局が、ビーコン信号の受信タイミングとは非同期である、基地局に端末局宛データの送信を促すＰＳ−Ｐｏｌｌ信号の送信タイミングにて、メモリに保存されたＴＩＭ情報の履歴を参照し、これをもとに、ＰＳ−Ｐｏｌｌ信号の送信停止を判断する。
【０００６】
このように、ＴＩＭ情報の履歴を用いて、端末局宛データの有無の推定を行うことにより、無駄なＰＳ−Ｐｏｌｌ信号の送信を防止する。
【０００７】
また、別の省電力化方法は、端末局が、端末局の帰属する基地局からビーコン信号を受信すると、このビーコン信号から、基地局が端末局宛データを保有しているか否かを示すＴＩＭ情報を抽出し、これをメモリに保存する。さらに、端末局が、ビーコン信号の受信タイミングとは非同期の送信タイミングで基地局に送信した、端末局宛データの送信を促すＰＳ−Ｐｏｌｌ信号の応答として、端末局宛データを受信したか否かを示すデータ受信情報をメモリに保存する。そして、端末局が、送信タイミングにて、メモリに保存されたＴＩＭ情報またはデータ受信情報の履歴を参照し、これをもとに、ＰＳ−Ｐｏｌｌ信号の送信停止を判断する。
【０００８】
このように、データ受信情報またはＴＩＭ情報の履歴を用いて、端末局宛データの有無の推定を行うことにより、無駄なＰＳ−Ｐｏｌｌ信号の送信を防止する。
【発明の効果】
【０００９】
以上説明したように、本発明によれば、次のような効果がある。
【００１０】
第１の効果は、ビーコンマネージメントフレームと非同期で動作する省電力化機能を有する無線ＬＡＮ装置において、受信すべき下りリンクデータが基地局にバッファリングされていない場合に、無駄なＰＳ−Ｐｏｌｌマネージメントフレームの送信およびそれにともなう無線フレームシーケンスを削減できるので、端末局を省電力化できることである。
【００１１】
第２の効果は、ビーコンマネージメントフレームと非同期で動作する省電力機能を有する無線ＬＡＮ装置において、受信すべき下りリンクデータが基地局にバッファリングされていない場合に、無駄なＰＳ−Ｐｏｌｌマネージメントフレームの送信およびそれにともなう無線フレームシーケンスを削減できるので、無線資源を無駄に利用することを避けることができる。その結果、システム全体でみると伝送容量を増大できることである。
【発明を実施するための最良の形態】
【００１２】
次に、本発明の実施の形態について、図面を参照して詳細に説明する。
【００１３】
本発明の端末局は、基地局から送信されるビーコンマネージメントフレームに含まれているＴＩＭ（Ｔｒａｆｆｉｃ Ｉｎｄｉｃａｔｉｏｎ Ｍａｐ）を解析することで、自端末局宛ての下りリンクデータが基地局にバッファリングされているか否かを知ることができる。また、端末局が基地局に送信したＰＳ−Ｐｏｌｌマネージメントフレームに対する下りリンクデータの有無より、自端末局宛ての下りリンクデータが基地局にバッファリングされているか否かを知ることができる。
【００１４】
端末局では、基地局における自端末局宛ての下りリンクデータのバッファリングの有無の履歴をメモリ上に記憶している。
【００１５】
ビーコンマネージメントフレームとは非同期の任意のタイミングで、ＰＳ−Ｐｏｌｌマネージメントフレームを送信する場合において、メモリに記憶されている過去の基地局での自端末局宛ての下りリンクデータのバッファリングの有無の履歴を参照する。
【００１６】
すなわち、ある一定時間を越えて、自端末局宛ての下りリンクデータがなかった場合には、ＰＳ−Ｐｏｌｌマネージメントフレームの送信、および、それに続く一連の下りリンクデータ受信処理を一時停止する。また、同履歴より、直前のビーコンマネージメントフレームで自端末局宛ての下りリンクデータがバッファリングされている旨通知されている場合には、必ずＰＳ−Ｐｏｌｌマネージメントフレームの送信、および、それに続く一連の下りリンクデータ受信処理を行う。
【００１７】
このように、メモリに記憶されている過去の基地局での自端末局宛ての下りリンクデータのバッファリングの有無の履歴を参照しながら、ビーコンマネージメントフレームと非同期で動作する省電力化機能を適用することで、受信すべき下りリンクデータが基地局にバッファリングされていない場合に、無駄なＰＳ−Ｐｏｌｌマネージメントフレームの送信、および、それにともなう無線フレームシーケンスを削減することができる。
【００１８】
図１を参照すると、本発明の無線ＬＡＮにおける省電力化方法のフレームシーケンス例が示されている。この例では、端末局は、Ｎ回連続してＴＩＭの値が「０」（「０」は、自端末局宛の下りリンクデータがバッファリングされていないことを示している）の場合、ＰＳ−Ｐｏｌｌの送信を停止し、ＴＩＭの値が「１」（「１」は、自端末局宛の下りリンクデータがバッファリングされていることを示している）であることを検出した場合、ＰＳ−Ｐｏｌｌの送信を再開する場合を示している。Ｎは一例として２としている。
【００１９】
図１において、Ｂｅａｃｏｎ（ＴＩＭ）は基地局の報知情報である。Ｂｅａｃｏｎ（ＴＩＭ）１は、自端末局に対する下りリンクデータを基地局でバッファリングしていることを示す値「１」を表示している。端末局は、ＴＩＭの値をメモリに記憶する。ＰＳ−Ｐｏｌｌ送信タイミング１１において、端末局は、ＴＩＭの履歴をメモリから参照し、最新のＴＩＭの履歴が２回連続して「０」ではないため、ＰＳ−Ｐｏｌｌを送信する。以降、ＰＳ−Ｐｏｌｌ送信タイミング１２、１３においても、端末局は、ＴＩＭの履歴をメモリから参照し、最新のＴＩＭの履歴が２回連続して「０」ではないため、ＰＳ−Ｐｏｌｌを送信する。
【００２０】
次に、端末局は、Ｂｅａｃｏｎ（ＴＩＭ）２を受信する。Ｂｅａｃｏｎ（ＴＩＭ）２では、自端末局に対する下りリンクデータを基地局でバッファリングしていないことを示す値「０」を表示している。端末局は、ＴＩＭの値をメモリに記憶する。ＰＳ−Ｐｏｌｌ送信タイミング１４において、端末局は、メモリからＴＩＭの履歴を参照し、最新のＴＩＭの履歴が２回連続して「０」ではないため、ＰＳ−Ｐｏｌｌを送信する。以降、ＰＳ−Ｐｏｌｌ送信タイミング１５、１６においても、端末局は、メモリからＴＩＭの履歴を参照し、最新のＴＩＭの履歴が２回連続して「０」ではないため、ＰＳ−Ｐｏｌｌを送信する。
【００２１】
次に、端末局は、Ｂｅａｃｏｎ（ＴＩＭ）３を受信する。Ｂｅａｃｏｎ（ＴＩＭ）３では、自端末局に対する下りリンクデータを基地局でバッファリングしていないことを示す値「０」を表示している。端末局は、ＴＩＭの値をメモリに記憶する。ＰＳ−Ｐｏｌｌ送信タイミング１７において、端末局は、メモリからＴＩＭの履歴を参照し、最新のＴＩＭの履歴が２回連続して「０」であるため、ＰＳ−Ｐｏｌｌの送信を停止する。以降、ＰＳ−Ｐｏｌｌ送信タイミング１８、２０においても、端末局は、メモリからＴＩＭの履歴を参照し、最新のＴＩＭの履歴が２回連続して「０」であるため、ＰＳ−Ｐｏｌｌの送信を停止する。
【００２２】
次に、端末局は、Ｂｅａｃｏｎ（ＴＩＭ）４を受信する。Ｂｅａｃｏｎ（ＴＩＭ）４では、自端末局に対する下りリンクデータを基地局でバッファリングしていることを示す値「１」を表示している。端末局は、ＴＩＭの値をメモリに記憶する。ＰＳ−Ｐｏｌｌ送信タイミング２１において、端末局は、メモリからＴＩＭの履歴を参照し、最新のＴＩＭの履歴が２回連続して「０」でないため、ＰＳ−Ｐｏｌｌを送信する。
【００２３】
図２を参照すると、本発明の無線ＬＡＮにおける省電力化方法のフレームシーケンスの別の例が示されている。この例では、端末局は、Ｍ回連続して自端末局のＰＳ−Ｐｏｌｌに対する基地局からのデータ送信が無かった場合、ＰＳ−Ｐｏｌｌの送信を停止し、その後、Ｂｅａｃｏｎ（ＴＩＭ）の値が「１」であることを検出した場合、ＰＳ−Ｐｏｌｌの送信を再開する場合を示している。Ｍは一例として３としている。
【００２４】
Ｂｅａｃｏｎ（ＴＩＭ）は基地局の報知情報である。Ｂｅａｃｏｎ（ＴＩＭ）１は、自端末局に対する下りリンクデータを基地局でバッファリングしていることを示す値「１」を表示している。端末局は、ＴＩＭの値をメモリに記憶する。ＰＳ−Ｐｏｌｌ送信タイミング１１において、端末局は、ＴＩＭの履歴をメモリから参照し、最新のＴＩＭの履歴が「１」であるため、ＰＳ−Ｐｏｌｌを送信する。基地局は、ＰＳ−Ｐｏｌｌ１１に対して、端末局に対する下りリンクデータをバッファリングしていれば、端末局に対しデータを送信する。端末局は、ＰＳ−Ｐｏｌｌ１１に対する基地局からのデータ送信の有無（あり）をメモリに記憶する。
【００２５】
ＰＳ−Ｐｏｌｌ送信タイミング１２において、端末局は、メモリから基地局からのデータ送信の有無の履歴を参照し、最新履歴が３回連続して「なし」ではないため、ＰＳ−Ｐｏｌｌを送信する。端末局は、ＰＳ−Ｐｏｌｌ１２に対する基地局からのデータ送信の有無（あり）をメモリに記憶する。
【００２６】
ＰＳ−Ｐｏｌｌ送信タイミング１３において、端末局は、メモリから基地局からのデータ送信の有無の履歴を参照し、最新履歴が３回連続して「なし」ではないため、ＰＳ−Ｐｏｌｌを送信する。端末局は、ＰＳ−Ｐｏｌｌ１３に対する基地局からのデータ送信の有無（なし）をメモリに記憶する。
【００２７】
ＰＳ−Ｐｏｌｌ送信タイミング１４、１５においても、端末局は、メモリから基地局からのデータ送信の有無の履歴を参照し、最新履歴が３回連続して「なし」ではないため、ＰＳ−Ｐｏｌｌを送信する。端末局は、ＰＳ−Ｐｏｌｌに対する基地局からのデータ送信の有無（なし）をメモリに記憶する。
【００２８】
ＰＳ−Ｐｏｌｌ送信タイミング１６において、端末局は、メモリから基地局からのデータ送信の有無の履歴を参照し、最新履歴が３回連続して「なし」であるため、次いで、ＴＩＭの履歴をメモリから参照し、最新のＴＩＭの履歴を確認する。最新のＴＩＭは、Ｂｅａｃｏｎ（ＴＩＭ）２の値「０」であるため、ＰＳ−Ｐｏｌｌの送信を停止する。端末局は、ＰＳ−Ｐｏｌｌを送信しないため、基地局からデータは送られない。したがって、この場合、基地局からのデータ送信の有無はメモリに記憶されない。
【００２９】
ＰＳ−Ｐｏｌｌ送信タイミング１７において、端末局は、メモリから基地局からのデータ送信の有無の履歴を参照し、最新履歴が３回連続して「なし」であるため、次いで、ＴＩＭの履歴をメモリから参照し、最新のＴＩＭの履歴を確認する。最新のＴＩＭはＢｅａｃｏｎ（ＴＩＭ）３の値「０」であるため、ＰＳ−Ｐｏｌｌの送信を停止する。端末局は、ＰＳ−Ｐｏｌｌを送信しないため、基地局からデータは送られない。したがって、この場合、基地局からのデータ送信の有無はメモリに記憶されない。ＰＳ−Ｐｏｌｌ送信タイミング１８から２０においても同様な動作を行なう。
【００３０】
ＰＳ−Ｐｏｌｌ送信タイミング２１において、端末局は、メモリから基地局からのデータ送信の有無の履歴を参照し、最新履歴が３回連続して「なし」であるため、次いで、ＴＩＭの履歴をメモリから参照し、最新のＴＩＭの履歴を確認する。最新のＴＩＭは、Ｂｅａｃｏｎ（ＴＩＭ）４の値「１」であるため、ＰＳ−Ｐｏｌｌを送信する。端末局は、ＰＳ−Ｐｏｌｌ２１に対する基地局からのデータ送信の有無（あり）をメモリに記憶する。
【００３１】
図２の例では、ＰＳ−Ｐｏｌｌに対する基地局からのデータ送信の「なし」の回数によってＰＳ−Ｐｏｌｌの送信停止を行なっているが、回数ではなく、直前のある特定時間範囲内でのデータ送信の有無により、ＰＳ−Ｐｏｌｌの送信停止を行なってもよい。具体的には、直前Ｐｍｓｅｃ間、基地局からのデータ通信が無かった場合、ＰＳ−Ｐｏｌｌの送信停止を行なう。
【００３２】
また、その他の例として、ＰＳ−Ｐｏｌｌの停止を判断した場合、その後Ｘ回はＰＳ−Ｐｏｌｌを停止させ、Ｘ＋１回目のＰＳ−Ｐｏｌｌ送信タイミングではＰＳ−Ｐｏｌｌを送信させるようにしてもよい。この場合、Ｂｅａｃｏｎ（ＴＩＭ）の履歴を参照しなくてもよい。Ｘは、時間またはＰＳ−Ｐｏｌｌ送信停止回数によって、その値を変化させてもよい。
【００３３】
以上のようなフレームシーケンスは、コンピュータプログラム、または、このようなコンピュータプログラムを記録した、コンピュータ読み取りが可能な記録媒体を読み取ることにより、実行してもよい。
【００３４】
図３を参照すると、本発明の端末局の構成例が示されている。
【００３５】
各種制御の中枢的な機能を有するＣＰＵ（中央処理装置）２２１と、制御プログラム、ＴＩＭの履歴（「０」「１」）、基地局からの受信履歴（「ある」「なし」）を一時的に格納したりするメモリ２２２と、第１のインターフェース回路２２３とをバス２２４によって接続した構成となっている。第１のインターフェース回路２２３には、無線ＬＡＮのＭＡＣ（Ｍｅｄｉａ Ａｃｃｅｓｓ Ｃｏｎｔｏｒｏｌ）アドレスを処理するＭＡＣ処理部２２５と、ベースバンド信号の処理を行うベースバンド回路２２６およびＲＦ（Ｒａｄｉｏ Ｆｒｅｑｕｅｎｃｙ）部２２７の直列回路の一端が接続されている。ＲＦ部２２７は、無線の送受信（ビーコンマネージメントフレームの受信や、ＰＳ−Ｐｏｌｌマネージメントフレームの送信を含む）を行うためのアンテナ２２８に接続されている。第１のインターフェース回路２２３、ＭＡＣ処理部２２５、ベースバンド回路２２６およびＲＦ部２２７は、電池２２９を接続した電源部２３０から、それぞれスイッチ回路２３１によってオン・オフ制御可能な形で電源の供給を受けるようになっている。
【００３６】
ＣＰＵ２２１は、バス２２４の他に入出力（Ｉ／Ｏ）回路２３３およびＤＳＰ（Ｄｉｇｉｔａｌ Ｓｉｇｎａｌ Ｐｒｏｃｅｓｓｏｒ）２３４とも接続されている。入出力回路２３３には、文字等の入力のためのキーボード２３５、振動で報知するためのバイブレータ２３６および通信時等に図示しないディスプレイの照明を行うための照明ＬＥＤ（Ｌｉｇｈｔ Ｅｍｉｔｔｉｎｇ Ｄｉｏｄｅ：発光ダイオード）２３７等の各種デバイスが接続されている。また、ＤＳＰ２３４は、第２のインターフェース回路２４１を介してスピーカ２４２、マイクロフォン（マイク）２４３およびリンガ２４４と接続されている。ここでリンガ２４４は、通話相手を呼び出したりする場合に音を鳴動させるための回路である。ＣＰＵ２２１、メモリ２２２、入出力回路２３３、ＤＳＰ２３４および第２のインターフェース回路２４１は、電源部２３０と電源ライン２４６で直結されており、図示しないメインスイッチによって、電源部２３０の電源出力がオフとならない限り、これらの各部には電源が常に供給されるようになっている。
【図面の簡単な説明】
【００３７】
【図１】本発明の無線ＬＡＮにおける省電力化方法のフレームシーケンスの例を示した図である。
【図２】本発明の無線ＬＡＮにおける省電力化方法のフレームシーケンスの別の例を示した図である。
【図３】本発明の端末局の構成例を示した図である。
【符号の説明】
【００３８】
２２１  ＣＰＵ
２２２  メモリ
２２３  第１のインターフェース回路
２２４  バス
２２５  ＭＡＣ処理部
２２６  ベースバンド回路
２２７  ＲＦ部
２２８  アンテナ
２２９  電池
２３０  電源部
２３１  スイッチ
２３３  Ｉ／Ｏ回路
２３４  ＤＳＰ
２３５  キーボード
２３６  バイブレータ
２３７  照明ＬＥＤ
２４１  第２のインターフェース回路
２４２  スピーカ
２４３  マイク
２４４  リンガ
２４６  電源ライン
【図１】
2006014167.tif 000003
【図２】
2006014167.tif 000004
【図３】
2006014167.tif 000005